(57)【特許請求の範囲】
【請求項１】
テレビカメラ本体に対して着脱可能に装着されるレンズ装置であって、前記テレビカメラ本体から供給される電力により作動するレンズ装置を備えると共に、電源投入操作により前記テレビカメラ本体及び前記レンズ装置への電力の供給が開始されるテレビカメラシステムにおいて、
前記電源投入操作後の前記レンズ装置における初期設定の処理を停止させることを操作者が指示入力するための操作手段を備え、該操作手段により前記初期設定の処理を停止させることが指示入力されている間、前記初期設定の処理を一時的に停止させることを特徴とするテレビカメラシステム。
【請求項２】
テレビカメラ本体に対して着脱可能に装着されるレンズ装置であって、前記テレビカメラ本体から供給される電力により作動するレンズ装置を備えると共に、電源投入操作により前記テレビカメラ本体及び前記レンズ装置への電力の供給が開始されるテレビカメラシステムにおいて、
前記電源投入操作後の前記レンズ装置における初期設定の処理を開始させることを操作者が指示入力するための操作手段を備え、該操作手段により前記初期設定の処理を開始させることが指示入力されると、前記初期設定の処理を開始させることを特徴とするテレビカメラシステム。
【請求項３】
前記レンズ装置における前記初期設定の処理を通常通り行えるか否かの情報を取得する取得手段を備え、該取得手段により取得された情報により前記レンズ装置における前記初期設定の処理を通常通り行えると判断した場合には、前記電源投入操作後に無条件で前記レンズ装置における前記初期設定の処理を開始させることを特徴とする請求項１、又は、２のテレビカメラシステム。
【請求項４】
前記レンズ装置に前記テレビカメラ本体以外からの電力の供給が行われる場合には、前記電源投入操作後に無条件で前記レンズ装置における前記初期設定の処理を開始させることを特徴とする請求項１、２、又は、３のテレビカメラシステム。
【発明の詳細な説明】
【技術分野】
【０００１】
本発明はテレビカメラシステムに係り、特にテレビカメラ本体（カメラ装置）と、カメラ本体に装着されるテレビレンズ（レンズ装置）とを備えたテレビカメラシステムにおいて、テレビレンズの電源がカメラ本体から電力がカメラ本体から供給されるテレビカメラシステムに関する。
【背景技術】
【０００２】
放送用又は業務用のテレビカメラに使用されるテレビレンズ（レンズ装置）は、フォーカス、ズーム、アイリス等がモータにより駆動されるようになっているのが一般的であり、それらのモータを駆動させるためのレンズ装置への電源は、商用電源を使用できない環境下では、カメラ本体に搭載又は接続されたバッテリからカメラ本体内の電源回路等を介して供給されるようになっている（例えば、特許文献1等参照）。
【特許文献１】特開平９−３０４６８０号公報
【発明の開示】
【発明が解決しようとする課題】
【０００３】
ところで、カメラ本体にレンズ装置を装着した状態でカメラ本体の電源をオンした場合、カメラ本体とレンズ装置の起動が同時に行われる。起動時には、カメラ本体とレンズ装置の各々において初期設定の処理が行われるため起動時以外の通常使用時よりも多くの電力を要する。そのため、カメラ本体とレンズ装置の起動が同時に行われると、カメラ本体側で、レンズ装置への電力供給が不可能（電力不足）と判断され、テレビカメラシステムが正常に動作しない場合があった。このような不具合を回避するためレンズ装置をカメラ本体に装着することなくカメラ本体のみを起動させておき、その後、カメラ本体にレンズ装置を装着してレンズ装置を起動させるという方法が考えられるが、このような起動方法を電源投入時に毎回行うのは煩雑な手間を要し、ユーザへの負担が大きい。
【０００４】
本発明はこのような事情に鑑みてなされたもので、レンズ装置をカメラ本体に装着した状態で電源を投入した場合に、電力不足による不具合を防止することができるテレビカメラシステムを提供することを目的とする。
【課題を解決するための手段】
【０００７】
前記目的を達成するために、請求項１に係るテレビカメラシステムは、テレビカメラ本体に対して着脱可能に装着されるレンズ装置であって、前記テレビカメラ本体から供給される電力により作動するレンズ装置を備えると共に、電源投入操作により前記テレビカメラ本体及び前記レンズ装置への電力の供給が開始されるテレビカメラシステムにおいて、前記電源投入操作後の前記レンズ装置における初期設定の処理を停止させることを操作者が指示入力するための操作手段を備え、該操作手段により前記初期設定の処理を停止させることが指示入力されている間、前記初期設定の処理を一時的に停止させることを特徴としている。
【０００８】
本発明によれば、テレビカメラ本体及びレンズ装置の電源投入時において、必要に応じてユーザが所定の操作を行うことによって、レンズ装置における初期設定の処理を停止させてテレビカメラ本体の初期設定の処理と異なるタイミングで行わせることができるため、電源投入時における電力不足による不具合を防止することができる。
【０００９】
請求項２に記載のテレビカメラシステムは、テレビカメラ本体に対して着脱可能に装着されるレンズ装置であって、前記テレビカメラ本体から供給される電力により作動するレンズ装置を備えると共に、電源投入操作により前記テレビカメラ本体及び前記レンズ装置への電力の供給が開始されるテレビカメラシステムにおいて、前記電源投入操作後の前記レンズ装置における初期設定の処理を開始させることを操作者が指示入力するための操作手段を備え、該操作手段により前記初期設定の処理を開始させることが指示入力されると、前記初期設定の処理を開始させることを特徴としている。
【００１０】
本発明によれば、テレビカメラ本体及びレンズ装置の電源投入時において、レンズ装置における初期設定の処理を実行させるタイミングをユーザの所定の操作によって調整することができるため、レンズ装置における初期設定の処理をテレビカメラ本体の初期設定の処理と異なるタイミングで行わせることができ、電源投入時における電力不足による不具合を防止することができる。
【００１１】
請求項３に記載のテレビカメラシステムは、請求項１、又は、２に記載の発明において、前記レンズ装置における前記初期設定の処理を通常通り行えるか否かの情報を取得する取得手段を備え、該取得手段により取得された情報により前記レンズ装置における前記初期設定の処理を通常通り行えると判断した場合には、前記電源投入操作後に無条件で前記レンズ装置における前記初期設定の処理を開始させることを特徴としている。
【００１２】
本発明は、テレビカメラ本体の種類によっては、テレビカメラ本体とレンズ装置の初期設定の処理を同時に行っても不具合が生じないものがあるため、そのような場合には、レンズ装置での初期設定の処理を電源投入後に即座に実行させるようにしたものである。
【００１３】
請求項４に記載のテレビカメラシステムは、請求項１、２、又は、３に記載の発明において、前記レンズ装置に前記テレビカメラ本体以外からの電力の供給が行われる場合には、前記電源投入操作後に無条件で前記レンズ装置における前記初期設定の処理を開始させることを特徴としている。
【００１４】
本発明は、レンズ装置にテレビカメラ本体以外から電力の供給が行われている場合には、テレビカメラ本体とレンズ装置の初期設定の処理を同時に行っても不具合が生じないため、そのような場合には、レンズ装置での初期設定の処理を電源投入後に即座に実行させるようにしたものである。
【発明の効果】
【００１５】
本発明に係るテレビカメラシステムによれば、レンズ装置をカメラ本体に装着した状態で電源を投入した場合に、電力不足による不具合を防止することができる。
【発明を実施するための最良の形態】
【００１６】
以下、添付図面に従って本発明に係るテレビカメラシステムを実施するための最良の形態について詳説する。
【００１７】
図１は、本発明が適用される放送用又は業務用のテレビカメラシステムの構成を示したブロック図である。同図におけるテレビカメラシステムは、主にカメラ本体１０とレンズ装置１２とから構成されており、カメラ本体１０にレンズ装置１２が着脱可能に装着されるようになっている。
【００１８】
カメラ本体１０には、レンズ装置１２の光学系により結像された被写体像を電気信号に変換する撮像素子（図示せず）や、撮像素子により得られた被写体像の電気信号に所要の処理を施し、所定形式の映像信号に変換する信号処理回路（図示せず）や、全体を統括的に制御するＣＰＵ等を含むカメラ回路１４が搭載されている。
【００１９】
レンズ装置１２は、被写体像を結像するための光学系と、その光学系の制御などを行う制御系とを備えており、光学系の構成要素として、鏡胴内に配置された、例えば同図に示すようにフォーカス調整用（焦点調整用）の可動のフォーカスレンズ群ＦＬ、ズーム調整用（焦点距離調整用）の可動のズームレンズ群ＺＬ、明るさ調整用の可動のアイリスＩ、撮影倍率を１倍と所定倍とで切り替えるための可動のエクステンダ群ＥＬを備えている。また、同図には示されていない固定のレンズ群も備えている。
【００２０】
一方、制御系は、光学系のフォーカスレンズ群ＦＬ、ズームレンズ群ＺＬ、アイリスＩ、エクステンダ群ＥＬの各々を、これらに連結されたモータＦＭ、ＺＭ、ＩＭ、ＥＭによって駆動し制御するための構成要素を備えている。詳細は省略するが、レンズ装置１２全体を統括的に制御するレンズ制御用ＣＰＵ２０、フォーカスレンズ群ＦＫ、ズームレンズ群ＺＬ、アイリスＩ、エクステンダ群ＥＬの各々に位置や移動速度に関してレンズ制御用ＣＰＵ２０から出力された制御信号をデジタル信号からアナログ信号に変換するＤ／Ａ変換器２２、Ｄ／Ａ変換器２２によりアナログ信号に変換された制御信号に従って各モータを駆動するアンプＦＡ、ＺＡ、ＩＡ、ＥＡ、フォーカスレンズ群ＦＬ、ズームレンズ群ＺＬ、アイリスＩ、エクステンダ群ＥＬの各々の現在位置を検出する位置センサＦＰ、ＺＰ、ＩＰ、ＥＰ、各位置センサＦＰ、ＺＰ、ＩＰ、ＥＰからの出力信号をアナログ信号からデジタル信号に変換するＡ／Ｄ変換器２４等を備えている。これらの制御系の構成要素により、レンズ制御用ＣＰＵ２０において目標位置又は目標移動速度として設定された位置又は移動速度でフォーカスレンズ群ＦＬ、ズームレンズ群ＺＬ、アイリスＩ、エクステンダ群ＥＬが駆動制御されるようになっている。
【００２１】
また、レンズ装置１２には、フォーカスデマンド３０やズームデマンド３２等のコントローラが装着又はケーブル等により接続されている。フォーカスデマンド３０にはフォーカス操作用のマニュアルのフォーカス操作部材が設けられており、そのフォーカス操作部材の操作に従ってフォーカス（フォーカスレンズ群ＦＬ）の目標位置又は目標移動速度を示すフォーカス指令信号がフォーカスデマンド３０から出力される。その指令信号がＡ／Ｄ変換器２４によりアナログ信号からデジタル信号に変換され、レンズ制御用ＣＰＵ２０に与えられる。
【００２２】
ズームデマンド３２にはズーム操作用のマニュアルのズーム操作部材が設けられており、そのズーム操作部材の操作に従ってズーム（ズームレンズ群ＺＬ）の目標位置又は目標移動速度を示すズーム指令信号がズームデマンド３２から出力される。その指令信号がＡ／Ｄ変換器２４によりアナログ信号からデジタル信号に変換され、レンズ制御用ＣＰＵ２０に与えられる。
【００２３】
レンズ制御用ＣＰＵ２０では、フォーカスデマンド３０やズームデマンド３２から与えられるそれらの指令信号に従ってフォーカスレンズ群ＦＬ及びズームレンズ群ＺＬの目標位置又は目標移動速度を設定し、それらの目標位置又は目標移動速度となるようにフォーカスレンズ群ＦＬ及びズームレンズ群ＺＬの制御を行う。尚、アイリスＩは、カメラ本体１０から与えられるアイリス指令信号に従って制御され、エクステンダ群ＥＬは、図示しない所定の操作部材の操作に基づいて与えられる指令信号に従って制御される。
【００２４】
上記のように構成されたカメラ本体１０とレンズ装置１２とは、双方に設けられたコネクタが直接又はケーブルを介して接続され、電気的に接続されるようになっている。これにより、カメラ本体１０のカメラ回路１４と、レンズ装置１２のレンズ制御用ＣＰＵ２０との間で各種情報のやり取りを行えるようになっている。
【００２５】
また、カメラ本体１０にはバッテリ４０及び電源回路４２が搭載されており、そのバッテリ４０の電力がカメラ本体１０の電源回路４２からレンズ装置１２に伝送され、レンズ装置１２を稼働させるために必要な電力が供給されるようになっている。テレビカメラシステムを起動させるための電源スイッチ（カメラ本体１０及びレンズ装置１２の電源を投入するスイッチ）はカメラ本体１０に設けられており、その電源スイッチ１０がオフからオンに切り替えられると、バッテリ４０の電力が電源回路４２を介してカメラ本体１０内の各回路（カメラ回路１４等）に供給されると共にレンズ装置１２に供給されるようになっている。尚、カメラ本体１０にバッテリ４０が搭載され、そのバッテリ４０からカメラ本体１０やレンズ装置１２に電力が供給される場合に限らず、例えば、カメラコントロールユニットと呼ばれる外部装置からカメラ本体１０やレンズ装置１２に電力が供給される場合があり、本発明は、電力の供給源がどのような態様であっても下記のような不具合を解消するために適用することができる。
【００２６】
ところで、電源スイッチがオフからオンされた際（電源投入時）には、カメラ本体１０及びレンズ装置１２において、初期設定の処理が行われるが、これらの動作が同時に行われると、電源回路４２の最大出力電力を超えてしまい、正常に初期設定が行われないために、システムが正常に動作しないという不具合が生じる場合がある。
【００２７】
そこで、レンズ装置１２において初期設定の処理を実行する際に以下のような処理がレンズ制御用ＣＰＵ２０により行われるようになっている。図２は、その処理の第１の実施の形態を示したフローチャートである。
【００２８】
カメラ本体１０の電源スイッチがオンされて、レンズ装置１２の電源がオン（電力供給が開始）されると（ステップＳ１０）、まず、レンズ制御用ＣＰＵ２０自体の初期設定が行われる（ステップＳ１２）。
【００２９】
続いて、図１に示されているカメラコードスイッチ５０の設定状態を読み込む（ステップＳ１４）。カメラコードスイッチ５０は、カメラ本体１０の種類を選択するスイッチである。レンズ制御用ＣＰＵ２０は、そのカメラコードスイッチ５０の状態によりレンズ装置１２が装着されているカメラ本体１０の種類を認識し、そのカメラ本体１０が通常立ち上げ可能なものか否かを図１に示されているＲＯＭ２６に事前に記録されているデータに基づいて判定する（ステップＳ１６）。
【００３０】
このステップＳ１６の判定処理においてＹＥＳと判定した場合には、レンズ制御用ＣＰＵ２０は通常の初期設定の処理を即時実行する（ステップＳ１８）。尚、このステップＳ１８における初期設定の処理には、ステップＳ１０でのレンズ制御用ＣＰＵ２０の初期設定の処理と比べて、フォーカスレンズ群ＦＬやズームレンズ群ＺＬを所定の初期位置に移動させる等の大きな電力を要する処理が含まれる。また、カメラ本体１０における初期設定の処理は、電源スイッチがオンされた後、即時開始され、所定時間が経過すると終了する。
【００３１】
一方、ステップＳ１６の判定処理においてＮＯと判定した場合には、レンズ装置１２における初期設定の処理を一定時間中断して待機状態とする（ステップＳ２０）。待機状態とする待機時間は、カメラ本体１０での初期設定が終了する時点以後において待機状態が終了するような時間とするのが望ましい。例えば、５秒程度とすれば多くの種類のカメラ本体１０に対して妥当な待機時間となる。尚、待機時間はカメラ本体１０の種類に応じて妥当な時間に適宜変更されるようにしてもよい。
【００３２】
ステップＳ２０における待機時間が経過するとステップＳ１８の通常の初期設定の処理を実行する。
【００３３】
以上の第１の実施の形態によれば、電源投入時において、レンズ装置１２における初期設定の処理とカメラ本体１０における初期設定の処理とを同時に行うと電力不足となるおそれがある場合には、カメラ本体１０で初期設定の処理が行われている間、レンズ装置１２における初期設定の処理が自動的に中断される。
【００３４】
尚、上記第１の実施の形態では、カメラコードスイッチ５０によりカメラ本体１０の種類を認識し（ステップＳ１４）、通常立ち上げが可能か否かを判定して（ステップＳ１６）、通常立ち上げが可能でない場合にのみレンズ装置１２における初期設定の処理を一定時間中断するようにしたが、ステップＳ１４及びステップＳ１６の処理を行わず、無条件でレンズ装置１２の初期設定の処理を一定時間中断する（ステップＳ２０）ようにしてもよい。
【００３５】
図３は、電源投入時におけるレンズ制御用ＣＰＵ２０の処理の第２の実施の形態を示したフローチャートである。尚、図２のフローチャートと同一又は類似の処理には図２と同一ステップ番号を付している。カメラ本体１０の電源スイッチがオンされて、レンズ装置１２の電源がオン（電力供給が開始）されると（ステップＳ１０）、まず、レンズ制御用ＣＰＵ２０の初期設定が行われる（ステップＳ１２）。
【００３６】
続いて、レンズ制御用ＣＰＵ２０は、図１に示されているＡＵＸスイッチ５２の状態を読み込む（ステップＳ３０）。ＡＵＸスイッチ５２は、押されているときにオン、押されていないときにオフとなるスイッチである。そして、レンズ制御用ＣＰＵ２０は、そのＡＵＸスイッチ５２がオフ状態（押されていない状態）か否かを判定する（ステップＳ３２）。
【００３７】
このステップＳ３２の判定処理においてＹＥＳと判定した場合には、レンズ制御用ＣＰＵ２０は通常の初期設定の処理を即時実行する（ステップＳ１８）。
【００３８】
一方、ステップＳ３２の判定処理においてＮＯと判定した場合には、第１の実施の形態と同様にレンズ装置１２における初期設定の処理を中断して待機状態とする（ステップＳ３４）。そして、ステップＳ３０に戻る。ステップＳ３２の判定処理において、ＮＯと判定している間、即ち、ＡＵＸスイッチ５２が押されている間は、ステップＳ３０、ステップＳ３２、ステップＳ３４の処理が繰り返し実行され、ＡＵＸスイッチ５２が押されていない状態になるとステップＳ３２の判定処理においてＹＥＳと判定されて通常の初期設定の処理を開始する（ステップＳ１８）。
【００３９】
以上の第２の実施の形態によれば、電源投入時において、レンズ装置１２における初期設定の処理とカメラ本体１０における初期設定の処理とを同時に行うと電力不足となるおそれがある場合には、カメラ本体１０で初期設定の処理が行われている間、ユーザの判断によってレンズ装置１２における初期設定の処理を中断させることができる。
【００４０】
尚、第２の実施の形態においても第１の実施の形態のステップＳ１４及びステップＳ１６の処理によってカメラ本体１０が通常立ち上げ可能な場合には、ＡＵＸスイッチ５２が押されていてもレンズ装置１２の初期設定の処理を実行するようにしてもよい。
【００４１】
図４は、電源投入時におけるレンズ制御用ＣＰＵ２０の処理の第３の実施の形態を示したフローチャートである。尚、図３のフローチャートと同一又は類似の処理には図２又は図３と同一ステップ番号を付している。カメラ本体１０の電源スイッチがオンされて、レンズ装置１２の電源がオン（電力供給が開始）されると（ステップＳ１０）、まず、レンズ制御用ＣＰＵ２０の初期設定が行われる（ステップＳ１２）。
【００４２】
続いて、レンズ制御用ＣＰＵ２０は、カメラ本体１０（カメラ回路１４）との通信を開始し（ステップＳ４０）、カメラ情報を取得する。例えば、カメラ情報として第１の実施の形態においてカメラコードスイッチ５０により取得していた情報と同様にカメラ本体１０の種類に関する情報を取得する（ステップＳ４２）。カメラ本体１０の種類に関する情報として型名やカメラメーカに関する情報等が考えられる。
【００４３】
レンズ制御用ＣＰＵ２０は、カメラ本体１０から取得した情報に基づいてカメラ本体１０の通常立ち上げが可能か否かを判定する（ステップＳ４４）。
【００４４】
ステップＳ４４の判定処理においてＹＥＳと判定した場合には、レンズ制御用ＣＰＵ２０は通常の初期設定の処理を即時実行する（ステップＳ１８）。
【００４５】
一方、ステップＳ４４の判定処理においてＮＯと判定した場合には、次に、カメラ本体１０からではなく、外部電源からの電力がレンズ装置１２に供給されているか否かを判定する（ステップＳ４６）。尚、レンズ装置１２には商用電源などの外部電源を接続するコネクタを備えており、そのコネクタを通じて外部電源からの電力が供給されるようになっている。
【００４６】
ステップＳ４６においてＹＥＳと判定した場合には、レンズ装置１２における初期設定の処理をカメラ本体１０における初期設定の処理と同時に行っても電力不足による不具合が生じないため、レンズ制御用ＣＰＵ２０は通常の初期設定の処理を実行する（ステップＳ１８）。
【００４７】
ステップＳ４６においてＮＯと判定した場合には、レンズ装置１２における初期設定の処理を中断して待機状態とする（ステップＳ４８）。続いて、ＡＵＸスイッチ５２の状態を読み込む（ステップＳ５０）。そして、ＡＵＸスイッチ５２が押されたか（オンされたか）否かを判定する（ステップＳ５２）。このステップＳ５２においてＮＯと判定した場合には、ステップＳ４６に戻り、待機状態を維持する。一方、ＹＥＳと判定した場合には、レンズ装置１２における通常の初期設定の処理を実行する（ステップＳ１８）。
【００４８】
以上の第３の実施の形態によれば、電源投入時において、レンズ装置１２における初期設定の処理とカメラ本体１０における初期設定の処理とを同時に行うと電力不足となるおそれがある場合には、レンズ装置１２における初期設定の処理が中断され、そのおそれがなくなったこと（カメラ本体１０で初期設定の処理が終了したこと）をユーザが判断してレンズ装置１２における初期設定の処理を開始させることができる。
【００４９】
尚、上記ステップＳ４４における通常立ち上げ可能か否かの判定は、第１の実施の形態と同様にカメラコードスイッチ５０に基づいて行ってもよく、また、第１の実施の形態においては、本第３の実施の形態のようにカメラ本体１０から取得した情報に基づいて通常立ち上げ可能か否かの判定（図２のステップＳ１６）を行ってもよい。
【００５０】
また、上記ステップＳ４６において外部電源なしと判定した場合に、第１の実施の形態と同様にユーザが特別な操作を行うことなく一定時間、レンズ装置１２の初期設定の処理を中断するようにしてもよいし、第２の実施の形態と同様にユーザがＡＵＸスイッチ５２等によって中断を指示している間のみレンズ装置１２での初期設定の処理を停止させるようにしてもよい。
【図面の簡単な説明】
【００５１】
【図１】図１は、本発明が適用されるテレビカメラシステムの構成を示した外観側面図である。
【図２】図２は、電源投入時におけるレンズ制御用ＣＰＵの処理の第１の実施の形態を示したフローチャートである。
【図３】図３は、電源投入時におけるレンズ制御用ＣＰＵの処理の第２の実施の形態を示したフローチャートである。
【図４】図４は、電源投入時におけるレンズ制御用ＣＰＵの処理の第３の実施の形態を示したフローチャートである。
【符号の説明】
【００５２】
１０…カメラ本体、１２…レンズ装置、２０…レンズ制御用ＣＰＵ、４０…バッテリ、４２…電源回路、５０…カメラコードスイッチ、５２…ＡＵＸスイッチ、ＦＬ…フォーカスレンズ群、ＺＬ…ズームレンズ群
【図１】
0004954915.tif 000002
【図２】
0004954915.tif 000003
【図３】
0004954915.tif 000004
【図４】
0004954915.tif 000005